(57)【特許請求の範囲】
【請求項１】
桁のフォーク差し込み口に面する側壁が、フォーク差し込み口の上部角部に位置するとともに所定の曲率半径を有する湾曲部と、該湾曲部の上端部から垂直に上方に延びる垂直部とを有しており、また、前記垂直部の上端面が、格子状桟を構成する幅方向リブの上端面及び奥行き方向リブの上端面と面一に形成されており、且つ、前記垂直部の下端面、即ち、前記湾曲部の上端部は、前記格子状桟を構成する幅方向リブの下端面及び奥行き方向リブの下端面と面一に形成されており、更に、前記桁のフォーク差し込み口に面する側壁の桁内側の面には、該面に対して垂直な垂直リブが、所定の間隔で連接されており、更にまた、前記桁のフォーク差し込み口に面する側壁の桁内側の面から所定距離離れた位置には、前記側壁の桁内側の面と平行で、且つ、前記桁のフォーク差し込み口に面する側壁の桁内側の面に対して垂直な前記垂直リブに接続された垂直リブが形成されており、なお更に、該垂直リブの下端部からは、前記湾曲部の下端部に接続された水平リブが延設されており、前記桁のフォーク差し込み口に面する側壁の桁内側の面に対して垂直な前記垂直リブと、前記桁のフォーク差し込み口に面する側壁の桁内側の面から所定距離離れた位置に形成された、前記側壁の桁内側の面と平行で、且つ、前記桁のフォーク差し込み口に面する側壁の桁内側の面に対して垂直な前記垂直リブと、該垂直リブの下端部から前記湾曲部の下端部に接続されるように延設された水平リブとが、前記桁内に形成されていることを特徴とする合成樹脂製パレット。
【発明の詳細な説明】
【０００１】
【発明の属する技術分野】
本発明は、種々の物品を運搬する際に使用されるフォーク差し込み口を有する合成樹脂製パレットに関するものである。
【０００２】
【従来の技術】
従来、隣接する桁及び桁間に上下に形成された桟により、合成樹脂製パレットの側面にフォーク差し込み口を形成するとともに、桁の側壁からフォーク差し込み口側に補強縁を突設させて、フォーク差し込み口を補強するようにした合成樹脂製パレットが知られている（例えば、実公平７−５２０１８号公報等）。
【０００３】
【発明が解決しようとする課題】
従来の合成樹脂製パレットは、補強縁が突設された桁部分の肉厚が厚くなるために、成型後の合成樹脂製パレットの冷却段階における、他の肉厚の薄い部分との収縮差により、合成樹脂製パレットが変形するという問題があった。
【０００４】
また、補強縁が桁から水平方向に突出しているために、補強縁の上面に、埃や雨水が溜まり汚れ易かったり、或いは、このような補強縁が突設されているために、洗浄性が低下するという問題があった。更には、このような補強縁を突設させただけでは、フォーク差し込み口付近、特に、フォークを持ち上げた際に、負荷が集中するフォーク差し込み口の上部角部の強度が十分でないという問題があった。
【０００５】
本発明の目的は、上述した従来の合成樹脂製パレットが有する課題を解決するとともに、耐久性、洗浄性等の向上した合成樹脂製パレットを提供することにある。
【０００６】
【課題を解決するための手段】
本発明は、上述した目的を達成するために、桁のフォーク差し込み口に面する側壁が、フォーク差し込み口の上部角部に位置するとともに所定の曲率半径を有する湾曲部と、該湾曲部の上端部から垂直に上方に延びる垂直部とを有しており、また、前記垂直部の上端面が、格子状桟を構成する幅方向リブの上端面及び奥行き方向リブの上端面と面一に形成されており、且つ、前記垂直部の下端面、即ち、前記湾曲部の上端部は、前記格子状桟を構成する幅方向リブの下端面及び奥行き方向リブの下端面と面一に形成されており、更に、前記桁のフォーク差し込み口に面する側壁の桁内側の面には、該面に対して垂直な垂直リブが、所定の間隔で連接されており、更にまた、前記桁のフォーク差し込み口に面する側壁の桁内側の面から所定距離離れた位置には、前記側壁の桁内側の面と平行で、且つ、前記桁のフォーク差し込み口に面する側壁の桁内側の面に対して垂直な前記垂直リブに接続された垂直リブが形成されており、なお更に、該垂直リブの下端部からは、前記湾曲部の下端部に接続された水平リブが延設されており、前記桁のフォーク差し込み口に面する側壁の桁内側の面に対して垂直な前記垂直リブと、前記桁のフォーク差し込み口に面する側壁の桁内側の面から所定距離離れた位置に形成された、前記側壁の桁内側の面と平行で、且つ、前記桁のフォーク差し込み口に面する側壁の桁内側の面に対して垂直な前記垂直リブと、該垂直リブの下端部から前記湾曲部の下端部に接続されるように延設された水平リブとを、前記桁内に形成したものである。
【０００７】
【実施例】
以下に、本発明の合成樹脂製パレットの平面図である図１、本発明の合成樹脂製パレットの角部の斜視図である図２、図１のＡ−Ａ線に沿った一部断面を含む合成樹脂製パレットの角部付近の斜視図である図３及び図１のＢ−Ｂ線に沿った一部断面を含む合成樹脂製パレットのフォーク差し込み口付近の斜視図である図４を用いて、本発明の実施例について説明するが、本発明の趣旨を越えない限り何ら、本実施例に限定されるものではない。
【０００８】
Ｐは、一例として、各側面に、それぞれ、２個のフォーク差し込み口１を有する、所謂、４方差しの合成樹脂製パレットであり、合成樹脂製パレットＰは、表面デッキボード２と裏面デッキボード３を有している。そして、表面デッキボード２と裏面デッキボード３とは、それぞれ、隅部に位置する４つの筒状の隅桁４、隅部４の中間に位置する４つの筒状の中間桁５及び中央に位置する１つの筒状の中央桁６により連結されている。
【０００９】
隅桁４と中間桁５とは、表面デッキボード２の一部を形成する、縦長の板状リブが格子状に配置された格子状桟７及びフォーク差し込み口１の底部１ａにより、それぞれ、連結されている。格子状桟７は、フォーク差し込み口１の間口の幅方向に沿ったリブ（以下、単に、「幅方向リブ」という。）７ａと、フォーク差し込み口１の間口の幅方向と直交する方向、即ち、フォーク差し込み口１の奥行き方向に沿ったリブ（以下、単に、「奥行き方向リブ」という。）７ｂとを格子状に配置することにより構成されている。そして、フォーク差し込み口１は、相対する隅桁４の側壁４ａと中間桁５の側壁５ａと格子状桟７と底部１ａとに囲まれて形成されている。
【００１０】
フォーク差し込み口１に面する隅桁４の側壁４ａは、図３に示されているように、フォーク差し込み口１の隅桁４側の上部角部において、フォーク差し込み口１側に所定の曲率半径で湾曲して形成された湾曲部４ｂと、該湾曲部４ｂの上端部４ｂ’から垂直に上方に延びる垂直部４ｃとを有しており、そして、垂直部４ｃの上端面４ｃ’は、格子状桟７を構成する幅方向リブ７ａの上端面７ａ’及び奥行き方向リブ７ｂの上端面７ｂ’と面一に形成されており、且つ、垂直部４ｃの下端面、即ち、湾曲部４ｂの上端部４ｂ’は、格子状桟７を構成する幅方向リブ７ａの下端面７ａ”及び奥行き方向リブ７ｂの下端面７ｂ”と面一に形成されている。上記のように、フォーク差し込み口１の隅桁４側の上部角部が、隅桁４の側壁４ａ自体を湾曲させることにより、隅桁４と一体に形成された湾曲部４ｂとして構成されているので、特に、負荷が集中するフォーク差し込み口１の上部角部を補強することができるとともに、湾曲部４ｂが、所定の曲率半径で湾曲して形成されているので、この部分に、埃や雨水が溜まり難く、また、洗浄性が向上することになる。
【００１１】
また、フォーク差し込み口１に面する中間桁５の側壁５ａにも、図３に示されているように、フォーク差し込み口１の中間桁５側の上部角部において、フォーク差し込み口１側に所定の曲率半径で湾曲して形成された湾曲部５ｂと、該湾曲部５ｂの上端部５ｂ’から垂直に上方に延びる垂直部５ｃとを有しており、そして、垂直部５ｃの上端面５ｃ’は、格子状桟７を構成する幅方向リブ７ａの上端面７ａ’及び奥行き方向リブ７ｂの上端面７ｂ’と面一に形成されており、且つ、垂直部５ｃの下端面、即ち、湾曲部５ｂの上端部５ｂ’は、格子状桟７を構成する幅方向リブ７ａの下端面７ａ”及び奥行き方向リブ７ｂの下端面７ｂ”と面一に形成されている。上記のように、フォーク差し込み口１の中間桁５側の上部角部が、中間桁５の側壁５ａ自体を湾曲させることにより、中間桁５と一体に形成された湾曲部５ｂとして構成されているので、特に、負荷が集中するフォーク差し込み口１の上部角部を補強することができるとともに、湾曲部５ｂが、所定の曲率半径で湾曲して形成されているので、この部分に、埃や雨水が溜まり難く、また、洗浄性が向上することになる。
【００１２】
図４に示されているように、中間桁５のフォーク差し込み口１に面する側壁５ａの桁内側の面５ａ’には、該面５ａ’に対して垂直な板状の垂直リブ８が、所定の間隔で連接されており、また、側壁５ａの桁内側の面５ａ’から所定距離離れた位置には、該面５ａ’と平行で、即ち、上記の垂直リブ８に垂直で、且つ、上記垂直リブ８に接続された、垂直な板状の垂直リブ９が設けられており、垂直リブ９の下端部からは、湾曲部５ｂの下端部５ｂ”に接続された水平リブ９ａが延設されている。水平リブ９ａには、雨水や洗浄水の排水用の孔９ａ’が穿設されている。上記の側壁５ａの桁内側の面５ａ’に垂直な垂直リブ８の上端面８’と、側壁５ａの桁内側の面５ａ’に平行な垂直リブ９の上端面９’とは、格子状桟７を構成する幅方向リブ７ａの上端面７ａ’及び奥行き方向リブ７ｂの上端面７ｂ’と面一に形成されている。なお、必要に応じて、水平リブ９ａは省略することができる。
【００１３】
上述したような、中間桁５のフォーク差し込み口１に面する側壁５ａの桁内側の面５ａ’に連接された垂直リブ８や、側壁５ａの桁内側の面５ａ’に平行な垂直リブ９や、該垂直リブ９の下端部から延設された水平リブ９ａ等は、隅桁４の桁内に形成することもできる。
【００１４】
上述したように、中間桁５のフォーク差し込み口１に面する側壁５ａの桁内側の面５ａ’に連接された垂直リブ８や、側壁５ａの桁内側の面５ａ’に平行な垂直リブ９を、必要に応じて、中間桁５内に形成することにより、フォーク差し込み口１の中間桁５側の上部角部を、更に補強することができる。同様に、このような構成を、必要に応じて、隅桁４の桁内に形成することにより、フォーク差し込み口１の隅桁４側の上部角部を、更に補強することができる。
【００１５】
【発明の効果】
本発明は、以上説明したように構成されているので、以下に記載する効果を奏することができる。
【００１６】
フォーク差し込み口、特に、負荷が集中するフォーク差し込み口の上部角部を補強することができるとともに、上部角部が湾曲して形成されているので、この部分に、埃や雨水が溜まり難く、また、洗浄性が向上することになる。
【００１７】
桁内に垂直リブを形成したので、フォーク差し込み口の上部角部付近の強度をより向上することができる。
【図面の簡単な説明】
【図１】図１は本発明の合成樹脂製パレットの平面図である。
【図２】図２は本発明の合成樹脂製パレットの角部の斜視図である。
【図３】図３は図１のＡ−Ａ線に沿った一部断面を含む合成樹脂製パレットの角部付近の斜視図である。
【図４】図４図１のＢ−Ｂ線に沿った一部断面を含む合成樹脂製パレットのフォーク差し込み口付近の斜視図である。
【符号の説明】
Ｐ・・・・・・・・合成樹脂製パレット
１・・・・・・・・フォーク差し込み口
２・・・・・・・・表面デッキボード
３・・・・・・・・裏面デッキボード
４・・・・・・・・隅桁
５・・・・・・・・中間桁
６・・・・・・・・中央桁
７・・・・・・・・格子状桟
【図１】
0004117709.tif 000002
【図２】
0004117709.tif 000003
【図３】
0004117709.tif 000004
【図４】
0004117709.tif 000005